(57)【要約】【課題】他の少なくとも１つの光ディスク記録媒体と積み重ねたときの張り付きを低減できる光ディスク記録媒体を提供する。【解決手段】光ディスク１００は、円盤形状の基板１０１と、基板１０１の少なくとも一方の面に形成された少なくとも１つの記録層１１０と、基板１０１及び記録層１１０の上に形成されたカバー層１０２とを備える。カバー層１０２は、基板１０１の中心から半径ｒ１を有する円の内部において、基板１０１の表面を基準として厚さｄ１を有する。カバー層１０２は、基板１０１の中心から半径ｒ１よりも長い半径ｒ２を有する円周上において、基板１０１の表面を基準として厚さｄ１より大きい厚さｄ２を有する。カバー層１０２は、基板１０１の中心から半径ｒ１よりも長く半径ｒ２よりも短い半径ｒ３を有する円周上において、基板１０１の表面を基準として厚さｄ１より小さい厚さｄ３を有する。【選択図】図１
2017174487.tif 000002
【特許請求の範囲】
【請求項１】
円盤形状の基板と、
前記基板の少なくとも一方の面に形成された少なくとも１つの記録層と、
前記基板及び前記記録層の上に形成されたカバー層とを備える光ディスク記録媒体において、
前記カバー層は、
前記基板の中心から第１の半径を有する円の内部において、前記基板の表面を基準として第１の厚さを有し、
前記基板の中心から前記第１の半径よりも長い第２の半径を有する円周上において、前記基板の表面を基準として前記第１の厚さより大きい第２の厚さを有し、
前記基板の中心から前記第１の半径よりも長く前記第２の半径よりも短い第３の半径を有する円周上において、前記基板の表面を基準として前記第１の厚さより小さい第３の厚さを有する、
光ディスク記録媒体。
【請求項２】
前記カバー層は、前記記録層の全領域のうちで情報を記録するために使用可能な領域の上において、前記基板の表面を基準として前記第１の厚さを有する、
請求項１記載の光ディスク記録媒体。
【請求項３】
前記第２の厚さと前記第１の厚さとの差は１２０μｍ以下である、
請求項１又は２記載の光ディスク記録媒体。
【請求項４】
前記基板の中心から前記第１の半径よりも短い第４の半径を有する円周上において、前記基板の表面を基準として前記第１の厚さより大きい第４の高さを有する円周形状のリブをさらに備える、
請求項１〜３のうちの１つに記載の光ディスク記録媒体。
【請求項５】
前記基板の少なくとも一方の面において、少なくとも１つの中間層を挟んで積層された複数の記録層を備える、
請求項１〜４のうちの１つに記載の光ディスク記録媒体。
【請求項６】
前記基板の両面にそれぞれ形成された記録層及びカバー層を備える、
請求項１〜５のうちの１つに記載の光ディスク記録媒体。
【発明の詳細な説明】
【技術分野】
【０００１】
本開示は、情報が記録される光ディスク記録媒体に関する。
【背景技術】
【０００２】
光ディスク記録媒体の面は平坦であることが要求される。平坦な面を有する光ディスク記録媒体を製造するために、さまざまな方法が知られている。
【０００３】
特許文献１は、光透過層をスピンコート法により形成した光記録媒体を開示する。光記録媒体の基板の外周部には、基板の厚さが半径方向外側に向かうに従って徐々に薄くなるように傾斜する傾斜面が形成される。これにより、従来のスピンコート法による樹脂コーティングを行う際に不可避的に存在していた盛り上がり部が外周部の傾斜面によって吸収され、光透過層の情報記録領域の表面より上側に突出してくることがない。
【先行技術文献】
【特許文献】
【０００４】
【特許文献１】特開２００３−０６７９９０号公報
【発明の概要】
【発明が解決しようとする課題】
【０００５】
記録再生装置と、複数の光ディスクと、複数の光ディスクのうちのいずれかを取り出して記録再生装置まで移動させる搬送装置とを備えた光ディスクライブラリ装置が知られている。このような光ディスクライブラリ装置では、筐体の寸法を増大させることなくより多くのデータを格納するために、例えば、光ディスク間の距離をなるべく小さくするように、複数の光ディスクは積み重ねて収納される。しかしながら、平坦な面を有する複数の光ディスクを積み重ね、互いに密着させた場合、光ディスクが互いに張り付き、単独の光ディスクを容易に取り出すことができなくなる。
【０００６】
本開示は、他の少なくとも１つの光ディスク記録媒体と積み重ねたときの張り付きを低減できる光ディスク記録媒体を提供する。
【課題を解決するための手段】
【０００７】
本開示にかかる光ディスク記録媒体は、円盤形状の基板と、基板の少なくとも一方の面に形成された少なくとも１つの記録層と、基板及び記録層の上に形成されたカバー層とを備える。カバー層は、基板の中心から第１の半径を有する円の内部において、基板の表面を基準として第１の厚さを有する。カバー層は、基板の中心から第１の半径よりも長い第２の半径を有する円周上において、基板の表面を基準として第１の厚さより大きい第２の厚さを有する。カバー層は、基板の中心から第１の半径よりも長く第２の半径よりも短い第３の半径を有する円周上において、基板の表面を基準として第１の厚さより小さい第３の厚さを有する。
【発明の効果】
【０００８】
本開示における光ディスク記録媒体によれば、他の少なくとも１つの光ディスク記録媒体と積み重ねたときの張り付きを低減できる。
【図面の簡単な説明】
【０００９】
【図１】実施の形態１にかかる光ディスク１００の断面図である。
【図２】図１の光ディスク１００の外周端近傍の断面図である。
【図３】実施の形態１の第１の変形例にかかる光ディスク１００Ａの断面図である。
【図４】実施の形態１の第２の変形例にかかる光ディスク１００Ｂの外周端近傍の断面図である。
【図５】実施の形態１の第３の変形例にかかる光ディスク１００Ｃの外周端近傍の断面図である。
【図６】第１の従来技術にかかる光ディスク２００の外周端近傍の断面図である。
【図７】第２の従来技術にかかる光ディスク２００Ａの外周端近傍の断面図である。
【図８】第３の従来技術にかかる光ディスク２００Ｂの外周端近傍の断面図である。
【図９】従来技術にかかる光ディスク２００−１，２００−２を積み重ねた状態を示す外周端近傍の断面図である。
【図１０】実施の形態にかかる光ディスク１００−１，１００−２を積み重ねた状態を示す外周端近傍の断面図である。
【図１１】実施の形態２にかかる光ディスク１００Ｄの断面図である。
【図１２】実施の形態１にかかる光ディスクの製造工程の第１のステップを示す断面図である。
【図１３】実施の形態１にかかる光ディスクの製造工程の第２のステップを示す外周端近傍の断面図である。
【図１４】実施の形態１にかかる光ディスクの製造工程の第３のステップを示す外周端近傍の断面図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
図面は光ディスク記録媒体の断面図で示す。理解を容易にするため、特に記録媒体の外周部近傍を拡大し抽出した図で示している。
【００１２】
なお、発明者らは当業者が本開示を十分に理解するために添付図面および以下の説明を提供するものであって、これらによって、特許請求の範囲に記載の主題を限定することを意図するものではない。
【００１３】
（実施の形態１）
以下、図１〜図１０を参照しながら実施の形態１にかかる光ディスクについて説明する。
【００１４】
図１は、実施の形態１にかかる光ディスク１００の断面図である。図２は、図１の光ディスク１００の外周端近傍の断面図である。光ディスク１００は少なくとも、円盤形状の基板１０１と、基板１０１の少なくとも一方の面に形成された少なくとも１つの記録層１１０と、基板１０１及び記録層１１０の上に形成されたカバー層１０２とを備える。図１の例では、１つの記録層１１０及びカバー層１０２が基板１０１の一方の面に設けられる。
【００１５】
光ディスク１００は、記録層１１０の全領域のうちで情報を記録するために使用可能な領域を含む記録領域Ａ１と、記録領域Ａ１よりも半径方向の外側にある外周領域Ａ２と、記録領域Ａ１よりも半径方向の内側にある内周領域Ａ３とを有する。
【００１６】
カバー層１０２は、基板１０１の中心から第１の半径ｒ１を有する円の内部、かつ、基板１０１の中心から第１の半径ｒ１よりも小さい半径ｒ０を有する円の外部において、基板１０１の表面を基準として第１の厚さｄ１を有する。半径ｒ１を有する円は記録領域の外周であり、半径ｒ０を有する円は記録領域の内周である。言い換えると、カバー層１０２は、記録層１１０の全領域のうちで情報を記録するために使用可能な領域の上において（すなわち、基板１０１の記録領域Ａ１の上において）、基板１０１の表面を基準として第１の厚さｄ１を有し、実質的に平坦に形成される。
【００１７】
さらに、カバー層１０２は、基板１０１の中心から第１の半径ｒ１よりも長い第２の半径ｒ２を有する円周上において、基板１０１の表面を基準として第１の厚さｄ１より大きい第２の厚さｄ２を有する。本明細書において、半径ｒ２を有する円周上の厚さｄ２を有する部分及びその近傍を「外周側リブ１０３」という。外周側リブ１０３は、例えば環状に形成される。
【００１８】
さらに、カバー層１０２は、基板１０１の中心から第１の半径ｒ１よりも長く第２の半径ｒ２よりも短い第３の半径ｒ３を有する円周上において、基板１０１の表面を基準として第１の厚さｄ１より小さい第３の厚さｄ３を有する。本明細書において、半径ｒ３を有する円周上の厚さｄ３を有する部分及びその近傍を「凹部１０４」という。凹部１０４は、例えば環状に形成される。
【００１９】
基板１０１は、所定の厚み及び円盤形状を有し、中心穴１０７を有する。本明細書において、基板１０１の各面を「円盤面」ともいう。基板１０１は、ポリカーボネート等の透明な熱可塑性樹脂を射出成形することによって形成される。カバー層１０２は、紫外線硬化性樹脂を用い、例えばスピンコート法によって基板１０１の円盤面上に形成される。また、外周側リブ１０３と凹部１０４とは、実施の形態１においては、カバー層１０２と同一材料により一体で形成している。
【００２０】
外周側リブ１０３は、記録領域Ａ１におけるカバー層１０２の表面よりも基板１０１の円盤面の法線方向に突出するように、外周領域Ａ２に設けられる。凹部１０４は、記録領域Ａ１におけるカバー層１０２の表面よりも基板１０１の円盤面の法線方向において低くなるように、円盤面上の半径方向において記録領域Ａ１と外周側リブ１０３との間に設けられる。
【００２１】
光ディスク１００は、例えば、Ｂｌｕ−ｒａｙ（登録商標）ディスクである。光ディスク１００は、それに限らず、円盤形状の基板と、基板の少なくとも一方の面に形成された少なくとも１つの記録層と、基板及び記録層の上に形成されたカバー層とを備える他の任意の光ディスク記録媒体であってもよい。
【００２２】
図３は、実施の形態１の第１の変形例にかかる光ディスク１００Ａの断面図である。外周側リブ１０３及び凹部１０４は、図１に示すように記録層が形成されない領域に設けられることに限定されず、記録層の上に設けられてもよい。図３の光ディスク１００Ａは、図１の光ディスク１００の記録層１１０に代えて、図１の記録層１１０よりも光ディスク１００Ａの外周端まで広がって形成された記録層１１０Ａを備える。図３のように形成された記録層１１０Ａであっても、そのすべての領域が情報を記録するために使用されるわけではない。光ディスクの仕様によって、記録層１１０Ａの全領域のうちで情報を記録するために使用可能な領域は、基板１０１の中心から所定半径（例えば、図１の半径ｒ１）内に決められている。図３において、記録領域Ａ１が、図１と同様に、記録層１１０Ａの全領域のうちで情報を記録するために使用可能な領域である。外周側リブ１０３及び凹部１０４は、図１と同様に、記録領域Ａ１よりも半径方向の外側にある外周領域Ａ２に設けられる。
【００２３】
図４は、実施の形態１の第２の変形例にかかる光ディスク１００Ｂの外周端近傍の断面図である。光ディスクは、基板の少なくとも一方の面において、少なくとも１つの中間層を挟んで積層された複数の記録層を備える多層型光ディスクであってもよい。例えば、多層型光ディスクは、３つの記録層を含む、いわゆる３層型光ディスクであってもよい。図４の光ディスク１００Ｂは、基板１０１の一方の面において、中間層１２１，１２２を挟んで積層された記録層１１１〜１１３を備える。中間層１２１，１２２によって、記録層１１１〜１１３は互いに分離される。本明細書において、記録層１１１〜１１３及び中間層１２１，１２２をまとめて、「積層記録層１１０Ｂ」という。
【００２４】
図４に示すように、カバー層１０２の表面に、傷つき防止のためのハードコート層１０５を形成してもよい。
【００２５】
図５は、実施の形態１の第３の変形例にかかる光ディスク１００Ｃの外周端近傍の断面図である。光ディスクは、基板の両面にそれぞれ形成された記録層及びカバー層を備え、両面の記録層に情報の記録及び再生を行う両面型光ディスクであってもよい。図５の光ディスク１００Ｃは、図４の光ディスク１００Ｂと同様に構成された２つのディスク部分を備え、これらのディスク部分におけるカバー層を形成していない面同士を対向させて接着剤１０６により張りあわせて構成される。光ディスク１００Ｃの上側のディスク部分は、基板１０１ａ、カバー層１０２ａ、外周側リブ１０３ａ、凹部１０４ａ、ハードコート層１０５ａ、及び積層記録層１１０Ｂａを備える。光ディスク１００Ｃの下側のディスク部分は、基板１０１ｂ、カバー層１０２ｂ、外周側リブ１０３ｂ、凹部１０４ｂ、ハードコート層１０５ｂ、及び積層記録層１１０Ｂｂを備える。光ディスク１００Ｃのこれらの構成要素は、図４の光ディスク１００Ｂの対応する構成要素と同様に構成される。
【００２６】
両面型光ディスクは、図４の光ディスク１００Ｂと同様に構成されたディスク部分に限らず、図１の光ディスク１００又は図３の光ディスク１００Ａと同様に構成されたディスク部分を備えてもよい。
【００２７】
また、両面型光ディスクにおいては、一方の面のみに外周側リブを設けてもよく、両方の面に外周側リブを設けてもよい。
【００２８】
ここで、従来技術に係る光ディスクについて説明する。
【００２９】
図６は、第１の従来技術にかかる光ディスク２００の外周端近傍の断面図である。光ディスク２００は、基板２０１、カバー層２０２、及び記録層２１０を備える。図６は、基板２０１の上のカバー層２０２に外周側リブ及び凹部がなく、カバー層２０２表面が実質的に平坦に形成されている例を示す。
【００３０】
図７は、第２の従来技術にかかる光ディスク２００Ａの外周端近傍の断面図である。光ディスク２００Ａは、製造工程中におけるカバー層２０２の材料の変形に起因して、基板２０１の上のカバー層２０２の外周端近傍においてわずかに低い盛り上がり２０３を備える。図７は、盛り上がり２０３があるものの、盛り上がり２０３の内周側に凹部が形成されていない例を示す。
【００３１】
図８は、第３の従来技術にかかる光ディスク２００Ｂの外周端近傍の断面図である。光ディスク２００Ｂは、基板２０１の厚さが半径方向外側に向かうに従って徐々に薄くなるように傾斜する傾斜面２２０を備え、そのカバー層２０２は、基板２０１の傾斜面２２０に沿って折れ曲がるように形成される。これにより、製造工程中におけるカバー層２０２の材料の変形に起因して盛り上がり２０３が生じても、盛り上がり２０３の先端は、記録層２１０の上のカバー層２０２の表面よりも基板２０１の円盤面の法線方向に突出することはない。これにより、盛り上がり２０３が突出しない平坦な光ディスク２００Ｂを製造することができる。また、基板２０１の傾斜面２２０に沿ってカバー層２０２が折れ曲がるので、盛り上がり２０３の内側に凹部２０４が形成される。
【００３２】
ここで光ディスクの使用形態の観点から、従来技術にかかる光ディスクの課題について説明する。
【００３３】
データセンターにおいて、長期保存を行う必要があるコールドデータの保管又はバックアップといった用途で、多数の大容量の光ディスクを使用することがある。この場合、膨大な数の光ディスクをできるだけコンパクトに保管するためには、光ディスクは隙間をあけることなく積み重ねられる。
【００３４】
図９は、従来技術にかかる光ディスク２００−１，２００−２を積み重ねた状態を示す外周端近傍の断面図である。光ディスク２００−１，２００−２はそれぞれ、図６の光ディスク２００と同様に構成される。光ディスク２００−１は、基板２０１−１、カバー層２０２−１、及び記録層２１０−１を備える。光ディスク２００−２は、基板２０１−２、カバー層２０２−２、及び記録層２１０−２を備える。
【００３５】
光ディスクのカバー層の表面は、記録再生光を乱すことなく安定にデータの記録再生を行う観点から、非常に平滑性が高く形成されている。光ディスクを積み重ねて保管する場合、その平滑性の高さゆえに光ディスク同士が張り付いてしまい、容易に分離することができない場合がある。特に大容量の両面型光ディスクを用いる場合、カバー層の表面同士を密着させて積み重ねることになるので、光ディスクが張り付いてしまう傾向はより顕著になる。
【００３６】
このような場合、積み重ねて保管した光ディスクのうちのいずれかを取り出して記録又は再生しようとしても、１枚の光ディスクを取り出すことができず、記録再生装置に大きなトラブルを起こすことが想定される。
【００３７】
発明者らの検討により、上記したように光ディスクを積み重ねた際の張り付きは、カバー層の表面の平滑性の高さゆえの課題であることがわかった。カバー層の表面の平滑性を下げれば光ディスクの張り付きは緩和されることになるが、記録再生光が散乱されるといった副作用のほうが大きいので、平滑性を下げることはできない。また、光ディスクの外周部に図７のような盛り上がり（リブ又は突起）を設けることが考えられるが、光ディスクの張り付きを緩和するために十分な高さの盛り上がりを設けると、既存の記録再生装置では、そのピックアップが盛り上がりに衝突することがある。
【００３８】
そこで、実施の形態１にかかる光ディスク１００は、記録領域Ａ１におけるカバー層１０２の表面よりも突出した外周側リブ１０３と、記録領域Ａ１におけるカバー層１０２の表面よりも低い凹部１０４とを備える。
【００３９】
図１０は、実施の形態にかかる光ディスク１００−１，１００−２を積み重ねた状態を示す外周端近傍の断面図である。光ディスク１００−１，１００−２はそれぞれ、図１の光ディスク１００と同様に構成される。光ディスク１００−１は、基板１０１−１、カバー層１０２−１、外周側リブ１０３−１、凹部１０４−１、及び記録層１１０−１を備える。光ディスク１００−２は、基板１０１−２、カバー層１０２−２、外周側リブ１０３−２、凹部１０４−２、及び記録層１１０−２を備える。
【００４０】
図９及び図１０は、カバー層同士が接触するように光ディスクを積み重ねた場合の、外周側リブ及び凹部の有無による比較を示す。図１０の光ディスク１００−１，１００−２では、外周領域Ａ２に外周側リブ１０３−１，１０３−２を設けることによって、光ディスク１００−１，１００−２を積み重ねた際に密着するカバー層１０２−１，１０２−２の面積を小さくすることができる。従って、光ディスク１００−１，１００−２の張り付きを緩和し、容易に光ディスク同士を分離することができる。
【００４１】
外周側リブ１０３が高いほど光ディスクの張り付きの解消には効果的であるが、外周側リブ１０３を過度に高くすると、外周側リブ１０３が記録領域Ａ１の外に存在していても、記録再生装置のピックアップヘッドとの衝突が発生する。記録領域Ａ１におけるカバー層１０２の表面に対する外周側リブ１０３の高さ（すなわち、ｄ２−ｄ１）の許容される最大値は、光ディスクの持つ反りの周内変動量、ピックアップヘッドの性能及び形状に依存する。この許容される最大値は、Ｂｌｕ−ｒａｙディスクでおおよそ１２０μｍである。また、この許容される最大値は、将来の高密度化のためにピックアップヘッドのレンズの開口数が大きくなり、ピックアップヘッドと光ディスクとの作動距離が近くなる可能性まで考慮すると、８０μｍ程度であると考えられる。
【００４２】
光ディスクの張り付きの強さは、積み重ねて保管する光ディスクの枚数、保管中において円盤面に垂直な方向からかかる圧力、保管の際の湿度等に依存する。従って、８０μｍ程度の高さの外周側リブでは、光ディスクの張り付きを解消するためのマージンが十分ではない場合も想定される。
【００４３】
そこで、本開示では、外周側リブ１０３を形成するとともにさらに、外周側リブ１０３の内周側に凹部１０４を形成する。凹部１０４を設けることによって、記録領域Ａ１におけるカバー層１０２の表面に対する外周側リブ１０３の高さを実際に増大させることなく、外周側リブ１０３の高さを増大させる場合と同様に光ディスク同士の張り付きを緩和する効果を得られる。さらに、光ディスクを積み重ねたことにより光ディスクが互いに密着したとしても、凹部１０４があることで密着する面積が減少し、光ディスクを互いに分離することが容易になる。
【００４４】
光ディスクは、例えば、外径おおよそ１２０ｍｍ、内径おおよそ１５ｍｍ、厚さおおよそ１．１〜１．５ｍｍを有し、その記録領域Ａ１の外周は半径ｒ１＝５８．５ｍｍを有してもよい。これによって、従来のＣＤ、ＤＶＤ、Ｂｌｕ−ｒａｙディスクとの互換性が高くなる。この場合、外周側リブ及び凹部は、例えば、光ディスクの中心から半径５８．５ｍｍの位置よりも外周側に形成されてもよい。これによって、外周側リブ及び凹部は記録領域Ａ１に干渉しにくくなり、記録再生光へ影響しにくくなる。
【００４５】
カバー層１０２は、記録領域Ａ１の上において平均して、例えば第１の厚さｄ１＝９５〜１０５μｍを有してもよい。第１の厚さｄ１は、記録領域Ａ１の上において、例えば±２μｍの公差を有してもよい。記録領域Ａ１におけるカバー層１０２の表面に対する外周側リブ１０３の高さ（すなわち、ｄ２−ｄ１）は、外周側リブ１０３とピックアップヘッドとの衝突を回避するため、半径ｒ２を有する円周上において平均して、例えば約４０μｍ〜約１２０μｍの範囲のうちのいずれかの値に設定されてもよい。また、外周側リブ１０３の高さは、半径ｒ２を有する円周上において平均して、例えば約６０μｍ〜約８０μｍの範囲のうちのいずれかの値に設定されてもよい。外周側リブ１０３の高さは、半径ｒ２を有する円周上において、例えば±２０μｍの公差を有してもよい。記録領域Ａ１におけるカバー層１０２の表面に対する凹部１０４の深さ（すなわち、ｄ１−ｄ３）は、半径ｒ３を有する円周上において平均して、例えば約１０〜２０μｍに設定されてもよい。凹部１０４の深さは、半径ｒ３を有する円周上において、例えば±２０μｍの公差を有してもよい（ただし、記録領域Ａ１におけるカバー層１０２の表面よりも突出しない）。凹部１０４の深さは、外周側リブ１０３の高さと連動して変化してもよい。いずれにしても、外周側リブ１０３は、記録領域Ａ１におけるカバー層１０２の表面よりも突出するように形成され（ｄ２＞ｄ１）、凹部１０４は、記録領域Ａ１におけるカバー層１０２の表面よりも低く形成される（ｄ１＞ｄ３）。
【００４６】
図１０では、片面に１つの記録層１１０−１，１１０−２をそれぞれ有する２つの光ディスク１００−１，１００−２を、それらの記録層１１０−１，１１０−２が互いに対向するように積層する場合を示した。しかしながら、片面に記録層をそれぞれ有する複数の光ディスクを、記録層を有する面と記録層をもたない面とが互いに対向するように積層しても、図１０の例と同様の効果が得られる。また、両面に記録層をそれぞれ有する複数の光ディスクを積層しても、図１０の例と同様の効果が得られる。
【００４７】
図７及び図８に示す従来技術にかかる光ディスク２００Ａ，２００Ｂでは、以下の理由により、光ディスクの張り付きを解消することはできない。まず、図７の光ディスク２００Ａでは、リブに相当する盛り上がり２０３の高さが十分ではなく、リブの内側の凹部が存在しない。また、図８の光ディスク２００Ｂでは、リブに相当する盛り上がりの先端が記録層２１０の上のカバー層２０２の表面よりも突出しないように形成されている。さらに、図８の光ディスク２００Ｂでは、凹部２０４は基板２０１の変形に沿っているだけであり、実際は、カバー層２０２の厚さは凹部２０４とその周辺とで同じである。従って、図８の光ディスク２００Ｂは、凹部２０４を備えていても、実施の形態１にかかる光ディスクのような性能を発揮することができない。
【００４８】
実施の形態１にかかる光ディスク記録媒体の構成及び効果は、以下の通りである。
【００４９】
実施の形態１にかかる光ディスク１００は、円盤形状の基板１０１と、基板１０１の少なくとも一方の面に形成された少なくとも１つの記録層１１０と、基板１０１及び記録層１１０の上に形成されたカバー層１０２とを備える。カバー層１０２は、基板１０１の中心から第１の半径ｒ１を有する円の内部において、基板１０１の表面を基準として第１の厚さｄ１を有する。カバー層１０２は、基板１０１の中心から第１の半径ｒ１よりも長い第２の半径ｒ２を有する円周上において、基板１０１の表面を基準として第１の厚さｄ１より大きい第２の厚さｄ２を有する。カバー層１０２は、基板１０１の中心から第１の半径ｒ１よりも長く第２の半径ｒ２よりも短い第３の半径ｒ３を有する円周上において、基板１０１の表面を基準として第１の厚さｄ１より小さい第３の厚さｄ３を有する。
【００５０】
このような構成により、光ディスクを積み重ねて保管する場合に光ディスク同士の張り付きを緩和もしくは解消するとともに、張り付いた場合でも光ディスク同士を容易に分離することが可能である。
【００５１】
実施の形態１にかかる光ディスク１００によれば、カバー層１０２は、記録層１１０の全領域のうちで情報を記録するために使用可能な領域の上において、基板１０１の表面を基準として第１の厚さｄ１を有する。
【００５２】
これにより、記録領域における情報の記録及び再生に影響することなく、外周側リブ及び凹部を設けることができる。
【００５３】
実施の形態１にかかる光ディスク１００によれば、第２の厚さｄ２と第１の厚さｄ１との差は１２０μｍ以下である。
【００５４】
これにより、記録再生装置のピックアップヘッドとの衝突を生じることなく、外周側リブ１０３を設けることができる。
【００５５】
実施の形態１にかかる光ディスク１００は、基板１０１の少なくとも一方の面において、少なくとも１つの中間層１２１，１２２を挟んで積層された複数の記録層１１１〜１１３を備える。
【００５６】
実施の形態１にかかる光ディスク１００は、基板１０１の両面にそれぞれ形成された記録層１１０及びカバー層１０２を備える。
【００５７】
これにより、光ディスクの容量を増大することができる。
【００５８】
（実施の形態２）
図１１は、実施の形態２にかかる光ディスク１００Ｄの断面図である。光ディスク１００Ｄは、基板１０１の中心から第１の半径ｒ１よりも短い第４の半径ｒ４を有する円周上において、基板１０１の表面を基準として第１の厚さｄ１より大きい第４の高さｄ４を有する円周形状のリブ１０８を備える。本明細書において、半径ｒ４を有する円周上の高さｄ４を有する部分及びその近傍を「内周側リブ１０８」という。光ディスク１００Ｄの他の部分は、図１の光ディスク１００と同様に構成される。
【００５９】
図１１のように、光ディスク１００Ｄが外周側リブ１０３に加えて内周側リブ１０８を備えることによって、光ディスク同士の張り付きを緩和又は防止する性能を実施の形態１に比較してさらに向上させることができる。
【００６０】
記録領域Ａ１におけるカバー層１０２の表面に対する外周側リブ１０３の高さ及び内周側リブ１０８の高さは、同じであっても、異なっていてもよい。光ディスクを積み重ねて保存する際の負荷のかかり方を考慮して、外周側リブ１０３の高さ及び内周側リブ１０８の高さはおおよそ同じに設定されてもよい。例えば、記録領域Ａ１におけるカバー層１０２の表面に対する外周側リブ１０３の高さは約７０μｍに設定され、記録領域Ａ１におけるカバー層１０２の表面に対する内周側リブ１０８の高さは約６５μｍに設定されてもよい。
【００６１】
実施の形態２にかかる光ディスク記録媒体の構成及び効果は、以下の通りである。
【００６２】
実施の形態２にかかる光ディスク１００Ｄは、基板１０１の中心から第１の半径ｒ１よりも短い第４の半径ｒ４を有する円周上において、基板１０１の表面を基準として第１の厚さｄ１より大きい第４の高さｄ４を有する円周形状のリブ１０８をさらに備える。
【００６３】
これにより、実施の形態１の場合よりも確実に、光ディスクを積み重ねて保管する場合に光ディスク同士の張り付きを緩和もしくは解消するとともに、張り付いた場合でも光ディスク同士を容易に分離することが可能である。
【００６４】
（実施の形態にかかる光ディスクの製造方法）
以下、本実施の形態にかかる光ディスクの製造方法について説明する。
【００６５】
光ディスクを製造する工程は、複数のステップにまたがっているので、それぞれのステップについて、図を用いて説明する。
【００６６】
図１２は、実施の形態１にかかる光ディスクの製造工程の第１のステップを示す断面図である。図１２に示すように、基板１０１の中心穴１０７にセンターキャップ１６１を設置し、センターキャップ１６１上に紫外線硬化性樹脂１６２を滴下し、スピンコート法によって紫外線硬化性樹脂１６２を外周側に向けて延伸する。スピンコートの回転速度および回転時間は、所望のカバー層厚みになるように選択する。基板１０１には予め記録層１１０が形成されている。それに代わって、基板１０１には予め複数の記録層と少なくとも１つの中間層が形成されていてもよい。
【００６７】
図１３は、実施の形態１にかかる光ディスクの製造工程の第２のステップを示す外周端近傍の断面図である。図１２のステップに続いて、記録層１１０の全領域のうちで情報を記録するために使用可能な領域を含む記録領域Ａ１の上において、紫外線硬化性樹脂１６２に紫外線１６３を照射して、硬化された紫外線硬化性樹脂１６２ａを形成する。この際に、外周側リブ１０３および凹部１０４となる部分を遮光マスク１６４を用いて遮光し、未硬化もしくは弱く硬化された状態（未硬化の紫外線硬化性樹脂１６２ｂ）にする。紫外線硬化性樹脂１６２に紫外線１６３を照射する際に基板１０１の回転を完全に止めてしまうと記録領域Ａ１のカバー層１０２の厚みにムラが発生する場合があるので、回転させながら紫外線１６３を照射して紫外線硬化性樹脂１６２を硬化させてもよい。ただし、基板１０１の回転が速すぎると未硬化の紫外線硬化性樹脂１６２ｂが基板１０１の外側へ飛散してしまう恐れがあるので、紫外線硬化性樹脂１６２の粘度に基づいて回転速度を選択してもよい。
【００６８】
図１４は、実施の形態１にかかる光ディスクの製造工程の第３のステップを示す外周端近傍の断面図である。図１３のステップの次に、外周側リブ１０３及び凹部１０４が所望の高さ及び深さに形成されるように基板１０１を回転させる。概して、基板１０１の回転速度を上げると凹部１０４が深くなり、基板１０１の回転速度を下げると凹部が浅くなる。基板１０１の回転を維持したまま図１３の遮光マスク１６４を除去して、図１３のステップで遮光していた未硬化の紫外線硬化性樹脂１６２ｂに紫外線１６３を照射して硬化させ、外周側リブ１０３および凹部１０４を形成する。紫外線硬化性樹脂１６２の粘度に合わせて基板１０１の回転速度及び加減速時間を設定することにより、外周側リブ１０３の高さと凹部１０４の深さをある程度調整することができ、最適な性能を有する外周側リブ１０３及び凹部１０４の形成が可能である。
【００６９】
図１２〜図１４の製造方法によれば、基板１０１を変形させるなどの複雑なプロセスが不要である。
【００７０】
光ディスクの表面の硬度をさらに上げるためにハードコート層を形成してもよい。ハードコート層によって光ディスクの表面の硬度が上がることにより、光ディスクを積み重ねた際の張り付きをさらに緩和することも可能である。
【００７１】
さらには、図１２〜図１４の製造方法とは異なる製造方法で外周側リブ１０３及び凹部１０４を形成してもよい。例えば、ドーナツ形状の外周側リブを別途形成してから基板１０１に張り付けてもよい。また、外周側リブ１０３の内周側を切削することにより凹部１０４を形成してもよい。これらの方法でも、光ディスク同士の張り付きの緩和、張り付いた場合の容易な分離などの同様の効果を得ることができる。
【００７２】
図１２〜図１４を参照して実施の形態１にかかる光ディスク１００の製造方法について説明したが、実施の形態２にかかる光ディスク１００Ｄも同様に製造される。光ディスク１００Ｄの内周側リブ１０８は、カバー層１０２を形成する前に、基板１０１と一体的に予め形成されてもよく、ドーナツ形状の内周側リブ１０８を別途形成してから基板１０１に張り付けてもよい。光ディスク１００Ｄの他の部分は、図１２〜図１４の製造方法を用いて形成されてもよい。
【００７３】
（他の実施の形態）
以上のように、本出願において開示する技術の例示として、実施形態１〜２を説明した。しかしながら、本開示における技術は、これに限定されず、適宜、変更、置き換え、付加、省略などを行った実施形態にも適用可能である。また、上記実施形態１〜２で説明した各構成要素を組み合わせて、新たな実施形態とすることも可能である。
【００７４】
以上のように、本開示における技術の例示として、実施形態を説明した。そのために、添付図面及び詳細な説明を提供した。
【００７５】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７６】
また、上述の実施形態は、本開示における技術を例示するためのものであるから、特許請求の範囲またはその均等の範囲において種々の変更、置き換え、付加、省略などを行うことができる。
【産業上の利用可能性】
【００７７】
本開示の光ディスク記録媒体は、光ディスクを積み重ねて保管する場合の光ディスク同士の張り付きの緩和又は防止を可能にし、また、張り付いた場合の容易な分離を可能とする。従って、特にデータセンター等での長期保存が求められる用途への応用が可能である。
【００７８】
本開示の光ディスク記録媒体は、特に、大容量を有する両面型の光ディスク記録媒体に適用可能である。
【符号の説明】
【００７９】
１００、１００−１、１００−２、１００Ａ〜１００Ｄ  光ディスク
１０１、１０１−１、１０１−２、１０１ａ、１０１ｂ  基板
１０２、１０２−１、１０２−２、１０２ａ、１０２ｂ  カバー層
１０３、１０３−１、１０３−２、１０３ａ、１０３ｂ  外周側リブ
１０４、１０４−１、１０４−２、１０４ａ、１０４ｂ  凹部
１０５、１０５ａ、１０５ｂ  ハードコート層
１０６  接着剤
１０７  中心穴
１０８  内周側リブ
１１０、１１０−１、１１０−２、１１０Ａ、１１１、１１２、１１３  記録層
１１０Ｂ、１１０Ｂａ、１１０Ｂｂ  積層記録層
１２１、１２２  中間層
１６１  センターキャップ
１６２  紫外線硬化性樹脂
１６２ａ  硬化された紫外線硬化性樹脂
１６２ｂ  未硬化の紫外線硬化性樹脂
１６３  紫外線
１６４  遮光マスク
２００、２００−１、２００−２、２００Ａ、２００Ｂ  光ディスク
２０１、２０１−１、２０１−２  基板
２０２、２０２−１、２０２−２  カバー層
２０３  盛り上がり
２０４  凹部
２１０、２１０−１、２１０−２  記録層
２２０  傾斜面
Ａ１  記録領域
Ａ２  外周領域
Ａ３  内周領域
【図１】
2017174487.tif 000003
【図２】
2017174487.tif 000004
【図３】
2017174487.tif 000005
【図４】
2017174487.tif 000006
【図５】
2017174487.tif 000007
【図６】
2017174487.tif 000008
【図７】
2017174487.tif 000009
【図８】
2017174487.tif 000010
【図９】
2017174487.tif 000011
【図１０】
2017174487.tif 000012
【図１１】
2017174487.tif 000013
【図１２】
2017174487.tif 000014
【図１３】
2017174487.tif 000015
【図１４】
2017174487.tif 000016